(57)【要約】【課題】一部が移動可能に構成された筐体を備えて小型化と操作性の良さを両立させた使い勝手の良い携帯型撮像機器を提供する。【解決手段】デジタルカメラ１の機器本体３は把持部７の反対側端部に光学部１２を内蔵する。光学部１２は撮影レンズ１３、中間移動レンズ１４及び撮像素子１５を備える。カバー部４が把持部７の逆方向へ移動するとカメラ全体が拡張され、光学部１２が突出して撮影時の拡張突出状態となる。携帯時には光学部１２が沈胴状態になると共にカバー部４が把持部７方向へ移動し機器本体３正面のレンズ配置面３−２と機器本体３の背面操作部２０が設けられている背部保護面１６を覆って露出部を保護する。【選択図】      図２
2006303983.tif 000002
【特許請求の範囲】
【請求項１】
把持部を有し撮影レンズを内蔵する機器本体と、
該機器本体の前面及び背面のそれぞれ一部を保護する保護位置と開放する開放位置とに移動するカバー部と、
を備え、
前記カバー部は、その背面に該背面をほぼ占有する大きさの画像表示部を有し、前記保護位置で前記機器本体の背面に設けられた背面操作部と前記機器本体の前面に設けられた前記撮影レンズを保護し、前記開放位置で前記背面操作部および前記撮影レンズを露出させることを特徴とする携帯型撮像機器。
【請求項２】
前記カバー部は、前記把持部と逆方向への移動により前記保護位置から前記開放位置へ移動することを特徴とする請求項１記載の携帯型撮像機器。
【請求項３】
前記把持部は、前記機器本体の端部外表面と、該端部外表面に連設され前記保護位置の前記カバー部で保護され前記背面操作部が配置され前記カバー部が前記開放位置にあるとき外部に開放される背部保護面の一部とから成り、該背部保護面の一部は前記端部外表面との連設部が内側に凹となるよう傾斜付き段差を形成していることを特徴とする請求項１記載の携帯型撮像機器。
【請求項４】
前記背面操作部は、撮影時に使用される操作部であることを特徴とする請求項１記載の携帯型撮像機器。
【請求項５】
前記機器本体は、前記背部保護面に前記背面操作部と共に第２の表示部を有することを特徴とする請求項３記載の携帯型撮像機器。
【請求項６】
前記第２の表示部は、撮影情報を表示することを特徴とする請求項５記載の携帯型撮像機器。
【請求項７】
前記機器本体は、前記第２の表示部に表示される撮影情報内容の切換指示を行う指示部を有することを特徴とする請求項６記載の携帯型撮像機器。
【請求項８】
前記機器本体は、前記カバー部によって保護される前面に前面表示部を有することを特徴とする請求項１乃至７のいずれかに記載の携帯型撮像機器。
【請求項９】
前記前面表示部は、自分撮り確認用のモニタ画像を表示することを特徴とする請求項８記載の携帯型撮像機器。
【請求項１０】
前記前面表示部は、セルフタイマ撮影時の撮影タイミング情報を表示することを特徴とする請求項８記載の携帯型撮像機器。
【請求項１１】
前記カバー部は、前記開放位置として前記保護位置に近い第１の開放位置および該第１の開放位置よりも前記保護位置から遠い第２の開放位置の少なくとも２つの開放位置を移動し、
前記機器本体の前記前面は、前記第１の開放位置で開放される場所に前記撮影レンズを備え、前記第１の開放位置では保護され前記第２の開放位置で開放される場所に前記前面表示部を備えることを特徴とする請求項８又は９記載の携帯型撮像機器。
【請求項１２】
前記機器本体は、前記前面表示部と共に該前面表示部の表示を切り換える操作部材を備えることを特徴とする請求項８記載の携帯型撮像機器。
【請求項１３】
前記カバー部の前記第２の開放位置への移動時には撮影モードを自分撮りモードまたはセルフタイマモードに設定することを許可する制御手段を備えたことを特徴とする請求項８乃至１２のいずれかに記載の携帯型撮像機器。
【請求項１４】
デジタルカメラに適用されたことを特徴とする請求項１乃至１３のいずれかに記載の携帯型撮像機器。
【発明の詳細な説明】
【技術分野】
【０００１】
本発明は、機器筐体のサイズを伸縮させることにより小型化と操作性の良さを両立させた携帯型撮像機器に関する。
【背景技術】
【０００２】
従来、例えばデジタルカメラ等の携帯型撮像機器に内蔵される画像表示部の表示素子として、液晶や有機ＥＬ（electro luminescent display）がよく知られている。これらの表示素子の薄型化や低消費電力化が進むことにより、同サイズの撮像機器筐体であっても、年々搭載される表示装置の表示面積が大きくなる傾向が強い。
【０００３】
これは、表示装置の表示面積は、大きい方が見やすく、また表示できる情報量も多くなるので、小型サイズに比較して利点が多いからである。また、表示面積の大きな表示画面を備えた撮像機器の方が商品として差別化が容易で、商品性も高まるからでもある。
【０００４】
一方、表示画面の表示面積が大きくなると、機器本体の部品レイアウトの点で大きな問題が生ずる。
例えば、撮像機器の代表例としてデジタルカメラを取り上げてみると、一般にカメラ筐体の背面領域は表示部と操作部とグリップ部に大きく分けられる。ところが、背面の面積が一定で表示画面の面積が大きくなると、操作部とグリップ部に十分なスペースを配分することができなくなるという当然の問題が発生する。
【０００５】
また、表示画面の面積が大きくなると、カメラを把持する手が表示画面の部分にまで回ってしまい、表示画面に表示される画像の一部が見えなくなるなどの問題も出てくる。
そこで、カメラ筐体の一部をスライド可能に構成し、携帯時はスライド部を縮小して小型にし、使用時にはスライド部を拡張して適当なサイズにするカメラが各種提案されている。
【０００６】
例えば、１つの例として、カメラ本体に把持部がスライド自在に設けられ、把持部がスライドして収納された状態ではモニタ画面の一部又は全部が覆われ、把持部がスライドして引き出された状態ではモニタ画面全体を露出させるようなモニタ付きカメラが提案されている。（例えば、特許文献１参照）。
【０００７】
また、上記のカメラでは、スライドする部分でレンズの保護と開放はなされないが、例えば、グリップ部と一体にカバー部を構成し、そのカバー部でカメラ前面を覆うようにしてレンズを保護するようにしたカメラが提案されている。（例えば、特許文献２参照。）
【特許文献１】特開平１１−２９８７７３号公報
【特許文献２】特開平１１−０６４９２８号公報
【発明の開示】
【発明が解決しようとする課題】
【０００８】
ところで、上記の特許文献１及び２のカメラは、いずれも、グリップ部と一体に構成したカバー部を、カメラ本体に対してスライドさせるように構成されている。
このようにグリップ部がカメラ本体に対してスライド移動する部分になっていると、グリップ部は本来、撮影時の強い把持力に耐えられるような強度および剛性を十分に確保しなければならない部分であるから、スライド部のグリップ部を形成する部分の肉厚を厚くするような対策が必要になる。
【０００９】
また、グリップ部がスライド部と一体構成であると、カメラの使用者がグリップ部を把持してカメラを構えた場合に、グリップ部とカメラ本体間にがたつきが生じる虞があり、そのようにグリップ部とカメラ本体間にがたつきが生じると手ぶれの原因になるので、がたつきが生じないようなスライド構造を構築しなければならない等の製作上の制約が生じる。
【００１０】
しかしながら、上記のようなグリップ部を形成する部分の肉厚を厚くする対策を講じたり、上記のようながたつきが生じないスライド構造を構築するという条件を満足させるようにすると、カメラの大型化や複雑化を招く虞が多分にある。
【００１１】
本発明の課題は、上記従来の実情に鑑み、一部が移動可能に構成された筐体を備えて機器筐体のサイズを伸縮させることにより小型化と操作性の良さを両立させ、一部が移動可能な構成であっても使い勝手を損なわない携帯型撮像機器を提供することである。
【課題を解決するための手段】
【００１２】
以下に、本発明に係わる携帯型撮像機器の構成を述べる。
先ず、第１の発明の携帯型撮像機器は、把持部を有し撮影レンズを内蔵する機器本体と、該機器本体の前面及び背面のそれぞれ一部を保護する保護位置と開放する開放位置とに移動するカバー部と、を備え、上記カバー部は、その背面に該背面をほぼ占有する大きさの画像表示部を有し、上記保護位置で上記機器本体の背面に設けられた背面操作部と上記機器本体の前面に設けられた上記撮影レンズを保護し、上記開放位置で上記背面操作部および上記撮影レンズを露出させるように構成される。
【００１３】
上記カバー部は、例えば、上記把持部と逆方向への移動により上記保護位置から上記開放位置へ移動するように構成される。また、上記把持部は、例えば、上記機器本体の端部外表面と、該端部外表面に連設され上記保護位置の上記カバー部で保護され上記背面操作部が配置され上記カバー部が上記開放位置にあるとき外部に開放される背部保護面の一部とから成り、該背部保護面の一部は上記端部外表面との連設部が内側に凹となるよう傾斜付き段差を形成するように構成される。また、上記背面操作部は、例えば、撮影時に使用される操作部であるように構成される。
【００１４】
また、この携帯型撮像機器においては、上記機器本体は、例えば、上記背部保護面に上記背面操作部と共に第２の表示部を有するように構成される。また、上記第２の表示部は、例えば、撮影情報を表示するように構成される。また、上記機器本体は、例えば、上記第２の表示部に表示される撮影情報内容の切換指示を行う指示部を有するように構成される。
【００１５】
また、この携帯型撮像機器においては、上記機器本体は、例えば、上記カバー部によって保護される前面に前面表示部を有するように構成される。また、上記前面表示部は、例えば、自分撮り確認用のモニタ画像を表示するように構成される。また、上記前面表示部は、例えば、セルフタイマ撮影時の撮影タイミング情報を表示するように構成される。
【００１６】
また、上記カバー部は、例えば、上記開放位置として上記保護位置に近い第１の開放位置および該第１の開放位置よりも上記保護位置から遠い第２の開放位置の少なくとも２つの開放位置を移動し、上記機器本体の上記前面は、上記第１の開放位置で開放される場所に上記撮影レンズを備え、上記第１の開放位置では保護され上記第２の開放位置で開放される場所に上記前面表示部を備えるように構成される。
【００１７】
また、上記機器本体は、例えば、上記前面表示部と共に該前面表示部の表示を切り換える操作部材を備えるように構成される。また、例えば、上記カバー部の上記第２の開放位置への移動時には撮影モードを自分撮りモードまたはセルフタイマモードに設定することを許可する制御手段を備えて構成される。
【００１８】
次に、第２の発明の携帯型撮像機器は、デジタルカメラに適用される。
【発明の効果】
【００１９】
本発明によれば、カバー部の表示画面の背後に隠された本体側の換作部をカバー部の移動で出現させるようにしたので、大きなサイズの表示画面を搭載した携帯型撮像機器でも携帯時における小型化が実現できる。
【発明を実施するための最良の形態】
【００２０】
以下、本発明の実施の形態を図面を参照しながら説明する。
【実施例１】
【００２１】
図１は、第１の実施形態におけるデジタルカメラの外観図である。図１は、上から二段目中央に、デジタルカメラ１の正面図を示し、その上下左右にそれぞれ上面図、下面図、正面から見た左側面図、右側面図を示し、最下段に背面図を示している。尚、図１は、デジタルカメラ１の携帯時の状態つまり縮小時の状態を示している。
【００２２】
図１に示すように、デジタルカメラ１は、正面部を分割線２で左右に分割される機器本体部３と、カバー部４とを備えている。尚、カバー部４は、上面図と下面図ではハッチングを付して示している。
【００２３】
機器本体部３は、その上面に、レリースボタン５、再生モードを指示する再生ボタン６が配設されている。また、機器本体部３の正面左側端部は把持部７を形成している。そして、その把持部７を形成している側面には、ジョグダイヤル８と吊り輪９が配設されている。
【００２４】
他方、カバー部４は、図１の下段に示すように、その背面に該背面をほぼ占有する大きさの画像表示部１１を備えている。このカバー部４は、図１に示す携帯時の縮小状態位置に移動しているときは、機器本体３の前面の一部及び背面のほぼ全部を保護する保護位置に在るように構成される。
【００２５】
図２は、デジタルカメラ１の撮影時つまり拡張突出時の状態と携帯時つまり縮小時の状態を対比させて示す図である。図２は、上段に、デジタルカメラ１の撮影時の状態を上面から見た断面図で示し、下段に撮影時の正面図を示している。
【００２６】
また、図２の２段目は携帯時の状態を上面から見た断面図で示し、三段目に携帯時の正面図を示している。また、図２には図１に示した構成と同一構成部分には図１と同一の番号を付与して示している。
【００２７】
図２の２段目には、カバー部４が把持部７方向へ移動してデジタルカメラ１全体が縮小され、撮影レンズ１３が沈胴位置に移動したときの携帯時の縮小沈胴状態を示している。図１の上段と同一の状態である。
【００２８】
デジタルカメラ１は、機器本体３は把持部７の反対側端部に光学部１２を内蔵している。この光学部１２は、機器本体３の前面を向く撮影レンズ１３、中間移動レンズ１４、及び撮像素子１５を備えている。
【００２９】
図２の上段には、図２の２段目からデジタルカメラ１を撮影時の拡張突出状態にした図を示す。カバー部４が把持部７とは逆方向へ移動して内部に空間部４−１が形成され、これによりデジタルカメラ１全体が拡張される。そして撮影レンズ１３が撮影突出位置に移動し、中間移動レンズ１４が中間位置に移動して光学部１２全体が突出する。
【００３０】
このように、本例では（後述する第２及び第３の実施形態も同様）、撮影可能状態時には、カバー部４が把持部７とは逆方向への移動するので、カバー部４の移動によって、把持部７の把持を阻害されることがない。
【００３１】
また、機器本体３の裏面には、中央部から把持部７側にかけて、背部保護面１６が形成されている。図１に示した把持部７は、この図２においては、機器本体３の端部外表面３−１と、この端部外表面３−１に連設されている背部保護面１６の一部とで形成されている。
【００３２】
そして、その背部保護面１６の一部は、図２の上段の破線Ａで丸く囲んだ部分の拡大図に示すように、機器本体３の端部外表面３−１との連設部が内側に凹となるよう傾斜付き段差１７を形成している。
【００３３】
この傾斜付き段差１７により、撮影時におけるデジタルカメラ１の拡張突出時には、使用者はデジタルカメラ１を確実に把持し易くなり、撮影が一層容易になる。
また、このように、本例においては、保持部７は機器本体３の背面から見て右側部のみに限定されるものではなく、背部保護面１６の一部まで使用できるように構成されているので、指で触っただけで背部保護面１６すなわちその背部保護面１６に配設されている詳しくは後述する背面操作部の位置が明確になるので便利である。
【００３４】
また、図２の上段及び２段目に示すように、カバー部４は、デジタルカメラ１が携帯時の縮小沈胴位置に在るときは、機器本体３の背面に設けられた背部保護面１６と機器本体３の前面に設けられた撮影レンズ１３を保護する保護位置に在る。
【００３５】
そして、カバー部４が、図２の２段目に示す保護位置から図２の上段に示す開放位置へ移動すると、背部保護面１６および撮影レンズ１３が露出される。
図２の下段に示すように、カバー部４の開放位置への移動によって撮影レンズ１３が露出するよう開放される機器本体３のレンズ配置面３−２には、撮影レンズ１３の近傍（図２の下段に示す例では上方近傍）にストロボ窓１８が配置されている。
【００３６】
図３は、上記デジタルカメラ１の背面の外観構成を示す図である。図３は、上に図１の下段に示した沈胴状態（縮小沈胴状態）を再掲して示し、下に撮影可能状態（拡張突出状態）を示している。
【００３７】
図３の下に示すように、デジタルカメラ１は、撮影可能状態では、機器本体３の把持部７側端部裏面の上述した背部保護面１６が外部に露出する。この背部保護面１６には、背面操作部２０が設けられている。
【００３８】
背面操作部２０は、撮影時に使用者によって使用される操作部であり、上端部にズームボタン１９が配設され、中央部やや下方寄りにＸＹ操作ボタン２１が配設され、下端部には２個の選択ボタン２２が配設されている。
【００３９】
ズームボタン１９は、例えば右側を押すと望遠にズームし、左側を押すとワイドにズームする。ＸＹ操作ボタン２１は、画像表示部１１に種々の撮影条件を示すメニュー画面が表示されたとき、カーソルを上下左右に移動させて所望のメニューを選択し、選択したメニューを確定させるためのボタンである。選択ボタン２２は、撮影モードやメニュー表示を指示するボタンである。
【００４０】
このように、本例では（後述する第２及び第３の実施形態も同様）、画像表示部１１の表示画面に表示されるメニュー表示とは別に、専用に操作部である背面操作部２０を設けたので、条件の多い撮影条件でも設定が簡単にできるので便利である。
【００４１】
図４は、上記デジタルカメラ１の内部システムブロック図である。図４に示すように、デジタルカメラ１は、機器本体３とカバー部４に分かれている。
カバー部４は、図１乃至図３に示した画像表示部１１を備えている。
【００４２】
機器本体３は、装置各部を制御するＣＰＵ(central processing unit）２５と、このＣＰＵ２５にバス２６を介して接続された画像メモリ２７、撮像部２８、画像処理部２９を備えている。また、バス２６には、カバー部４の画像表示部１１がフレキシブル基板３１を介して接続されている。
【００４３】
また、ＣＰＵ２５には、上記の他に背面操作部（Ｉ／Ｆ回路）３２、上面操作部（Ｉ／Ｆ回路）３３、ＲＯＭ（read-only-memory）３４、ストロボ部３５、及びカバー位置検出部３６が直接接続されている。また、撮像部２８には、光学部１２の撮像素子１５が接続されている。
【００４４】
上記のカバー位置検出部３６は、デジタルカメラ１が沈胴状態のときのカバー部４の位置とデジタルカメラ１が撮影可能状態のときのカバー部４の位置とを検出して、その検出データをそれぞれＣＰＵ２５に通知する。
【００４５】
ＣＰＵ２５は、カバー部４の移動位置が沈胴状態の位置にあることをカバー位置検出部３６から通知されると、不図示の電源部から各部に供給される電力を切断し、カバー部４の移動位置が撮影可能状態の位置にあることをカバー位置検出部３６から通知されると、電源部から各部への電力の供給を開始する。
【００４６】
背面操作部３２は、図３の下に示した背部保護面１６に配置されている各操作ボタン（ズームボタン１９、ＸＹ操作ボタン２１、選択ボタン２２）からの入力操作イベントをＣＰＵ２５に通知する。
【００４７】
上面等操作部３３は、図１に示した機器本体部３の上面及び左側面に配置されている各操作ボタン（レリースボタン５、再生ボタン６、ジョグダイヤル８）からの入力操作イベントをＣＰＵ２５に通知する。
【００４８】
ＲＯＭ３４は、撮影モードにおける処理プログラムや再生モードにおける処理プログラム等を記憶する。
ＣＰＵ２５は、背面操作部３２や上面等操作部３３から通知される入力操作イベントに応じて、指定の処理モード（撮影モード又は再生モード）の処理プログラムをＲＯＭ３４から読み出し、その読み出したプログラムに従って各部を制御する。
【００４９】
ストロボ部３５は、ストロボ発光が入力指示されたとき、又は撮影条件に応じて自動設定されたとき、レリースボタン５の操作に連動し、撮影タイミングに合わせて、ストロボ窓１８の背後に配設されているストロボ光源を発光駆動する。
【００５０】
光学部１２の撮像素子１５は、レンズ（撮影レンズ１３、中間移動レンズ１４）を通して撮像面に結像される映像を、アナログ電気信号に変換して撮像部３３に出力する。撮像部２８は、撮像素子１５から入力するアナログ電気信号をデジタル画像信号に変換する。変換されたデジタル画像信号は、不図示のＤＲＡＭ（Dynamic Random Access Memory）に格納される。
【００５１】
画像処理部２９は、格納されたデジタル画像信号について表示用処理又は記録用の画像処理を行う。
第１の実施形態によれば、把持部が機器本体側にあるので、撮影時にも表示画面を指で隠す虞なく確実に把持でき、また、カバー部を移動させる構成でありながら撮影時の安定性を阻害することがなく、幅の短いボディサイズで優れた把持性と操作性が確保されて使い勝手が良い。
【００５２】
また、携帯時の縮小状態でも再生ボタンを押すことにより表示画面に画像を表示させることができるので、側面のジョグダイヤルの換作により画面切り替えが可能なビュワーとして用いることができる。
【実施例２】
【００５３】
図５は、第２の実施形態におけるデジタルカメラの背面外観図である。図５は、上に撮影可能状態時における背部保護面が露出している状態の外観を示し、下に、その背部保護面における表示入力操作部の拡大図を示している。尚、図５において、図１乃至図３に示した構成と同一の構成部分には図１乃至図３と同一の番号を付与して示している。
【００５４】
本例のデジタルカメラ１´においては、撮影可能状態時に外部に露出される背部保護面１６´は、第１の実施形態において図３の下段に示した背面操作部２０の各操作ボタン（ズームボタン１９、ＸＹ操作ボタン２１、選択ボタン２２）が背部保護面１６´の右方に寄せ集められている。
【００５５】
そして、上記により形成される背部保護面１６´の左方の余剰面に、他の液晶表示部３７が設けられている。
すなわち、本例においては、機器本体３には、背面部の画像表示部１１（以下、第１表示部１１という）とは別に、背部保護面１６´において各操作ボタンの左方に液晶表示部３７（以下、第２表示部３７という）が設けられている。換言すれば、機器本体３は、背部保護面１６´に、背面操作部２０（図３の下段参照）と共に、第２表示部３７を有している。
【００５６】
そして、この第２表示部３７には、種々の撮影情報３８が表示される。図５の下に示す例では、第２表示部３７には、撮影情報３８として、シャッタースピード情報３８−１には「１／６０」が表示され、絞り情報３８−２には「Ｆ２．８」が表示され、画質情報３８−３には「ＨＱ」が表示され、ズーム情報３８−４には花のアイコンが表示され、そして、露出補正情報３８−５には「−０．３」が表示されている。
【００５７】
上記第２表示部３７に表示される撮影情報３８の内容の切換指示は、第２表示切替ボタン３９の操作によって行われる。この第２表示切替ボタン３９の操作による第２表示部３７の表示切り換えは、例えば、「ＯＦＦ→撮影条件表示（図示）→操作ボタンの説明表示（不図示）」をサイクリックに行うようになっている。
【００５８】
そして、選択した撮影情報を更に細かく選定することができる。例えば、特には図示しないが、シャッタースピード情報３８−１では「１／６０」の表示を例えば「１／１２０」、「１／５００」などに切り換え表示させることができる。
【００５９】
また、画質情報３８−３では「ＨＱ」（high quality）の表示を例えば「ＳＱ」（standard quality）又は「ＳＨＱ」（super high quality）などに切り換え表示させることができる。
【００６０】
また、ズーム情報３８−４では、花のアイコン（近接撮影）の表示を例えば木のアイコン（望遠撮影）の表示、一人の顔のアイコン（標準撮影）、二人の顔のアイコン（セルフタイマ撮影）、又は電光アイコン（フラッシュ撮影）の表示などに切り換え表示させることができる。
【００６１】
図６は、上記デジタルカメラ１´の内部システムブロック図である。図６に示す構成では、図４に示した第１の実施形態におけるデジタルカメラ１の内部システムブロック図において、更に第２表示部３７と第２表示切換操作部４２が加えられている。
【００６２】
尚、図６では第２表示部３７が加わったため、第１の実施形態において画像表示部１１と呼んでいた構成部を第１表示部１１と呼称を変えている。また、その他各部の構成は、図４の場合と同一である。
【００６３】
図６において、第２表示切換操作部４２は、第２表示切替ボタン３９の入力操作イベントをＣＰＵ２５に通知する。第２表示部３７は、ＣＰＵ２５の制御の元に、種々の撮影情報が表示される。
【００６４】
このように、本例のデジタルカメラ１´では、画像表示部１１の表示とは異なる表示部を設けているので、画像表示部１１の表示と区別したい内容を表示することができるので便利である。
【００６５】
また、撮影情報３８を表示する第２表示部３７が操作部（背面操作部２０）の近傍に配置されるので、撮影条件の設定等に便利である。また、第２表示切替ボタン３９の操作によって第２表示部３７の表示切換が容易にできるので便利である。
【実施例３】
【００６６】
図７は、第３の実施形態におけるデジタルカメラの撮影可能状態時における正面外観図と、その前面表示部の表示態様を示す図である。図７は、上と中央に、撮影可能状態時において、撮影レンズ配置面が露出している状態の外観を示し、下に、その撮影レンズ配置面における表示入力操作部の拡大図を示している。
【００６７】
尚、図７において、図１乃至図３に示した構成と同一構成又は同一機能部分には、図１乃至図３と同一の番号を付与して示している。また、機器本体３裏面の構成は、図３に示した第１の実施形態の場合と同一である。
【００６８】
本例のデジタルカメラ１″においては、カバー部４がレンズ配置面３−２を覆って保護する保護位置から移動してレンズ配置面３−２を開放する開放位置として、少なくとも図７の上に示す第１の開放位置と、図７の中央に示す第２の開放位置の２つの開放位置を有している。
【００６９】
図７の上に示すように、保護位置に近い第１の開放位置では、機器本体３のレンズ配置面３−２の撮影レンズ１３とストロボ窓１８が露出される。そして、図７の中央に示すように、第１の開放位置よりも保護位置から遠い第２の開放位置では、上記撮影レンズ１３とストロボ窓１８のほかに、前面表示部４３と前面表示切換ボタン４４が露出される。
【００７０】
前面表示部４３は、図７の右下に示すように自分撮り確認用のモニタ画像を表示することができる他に、図７の左下に示すようにセルフタイマ撮影時の撮影タイミング情報を表示することができる。
【００７１】
このセルフタイマ撮影時の撮影タイミング情報は、撮影タイミングのカウントダウン表示であり、例えば「９，８，７・・・１，０」と降順に撮影タイミングが表示される。図７の左下に示す例では「３」が表示されており、３秒後にシャッタが切られるタイミングを示している。
【００７２】
この前面表示部４３の表示を切り替える前面表示切換ボタン４４は、押圧操作されるたびに、例えば「表示ＯＦＦ⇔モニタ画像（セルフタイマ時には、撮影開始までの秒時を重複表示）」と切り替わる。
【００７３】
図８は、上記デジタルカメラ１″の内部システムブロック図である。図８に示す構成では、図４に示した第１の実施形態におけるデジタルカメラ１の内部システムブロック図において、前面表示部（駆動回路）４５と前面表示切換操作部４６が加えられている。
【００７４】
尚、図８でも、前面表示部４１が加わったため、第１の実施形態において画像表示部１１と呼んでいた構成部を第１表示部１１と呼称を変えている。また、その他各部の構成は、図４の場合と同一である。
【００７５】
図８において、前面表示切換操作部４６は、前面表示切替ボタン４４の入力操作イベントをＣＰＵ２５に通知する。前面表示部４３は、ＣＰＵ２５の制御の元に、撮影タイミング情報やモニタ画像を表示する。
【００７６】
図９は、本例のデジタルカメラ１″において、ＣＰＵ２５の制御の元に行われるカメラモードの設定処理のフローチャートである。
図９において、ＣＰＵ２５は、先ず、カバー部４が保護位置にあるか否かを判別する（Ｓ１）。そして、カバー部４が保護位置にあるときは（Ｓ１がＹ）、続いて、再生ボタン６が押されているか否かを判別する（Ｓ２）。
【００７７】
上記の処理Ｓ２の判別で、再生ボタン６が押されていないときは（Ｓ３がＮ）、処理Ｓ１に戻って、処理Ｓ１及び処理Ｓ２を繰り返す。このように、カバー部４が保護位置にあるときは、再生ボタン６の操作有無のみが判別される。そして、再生ボタン６の操作が行われていないときは、何も処理されない。
【００７８】
他方、上記の処理Ｓ２の判別で、再生ボタン６が押されていれば（Ｓ３がＹ）、再生モードを設定して（Ｓ３）、このモード設定の処理を終了する。このように、カバー部４が保護位置にあっても、再生ボタン６が押されることによって、再生モードが設定されるので、カバー部４を閉じたままでも、ジョグダイヤル８の操作によって、撮影画像を再生することができる。
【００７９】
また、上記処理Ｓ１の判別で、カバー部４が保護位置に無いときは（Ｓ１がＮ）、続いて、カバー部４が第２の開放位置にあるか否かを判別する（Ｓ４）。そして、カバー部４が第２の開放位置に無いときは（Ｓ４がＮ）、第１の開放位置にあるので、その場合は通常撮影モードに設定して（Ｓ５）、このモード設定の処理を終了する。
【００８０】
また、上記処理Ｓ４の判別で、カバー部４が第２の開放位置にあるときは（Ｓ４がＹ）、続いて、セルタイマの指示がなされているか否かを判別する（Ｓ６）。そして、セルタイマの指示がなされていれば（Ｓ６がＹ）、セルタイマ撮影モードを設定し（Ｓ７）、更に続いて前面表示切換ボタン４４が押されているか否かを判別する（Ｓ８）。
【００８１】
そして、前面表示切換ボタン４４が押されているときは（Ｓ８がＹ）、前面表示部４３の表示をオンに設定して（Ｓ９）、このモード設定の処理を終了する。また、前面表示切換ボタン４４が押されていないときは（Ｓ８がＮ）、前面表示部４３の表示をオフに設定して（Ｓ１１）、このモード設定の処理を終了する。
【００８２】
また、上記処理Ｓ６の判別で、セルタイマの指示がないときは（Ｓ６がＮ）、自分撮り撮影モードを設定して（Ｓ１０）、上記の処理Ｓ８に移行する。
このように、カバー部４が第２の開放位置にあるときは、自動的に自分撮り撮影モードを設定され、セルタイマの指示があったときには、セルタイマ撮影モードが設定される。そして、いずれの場合も、前面表示切換ボタン４４の押し操作によって、前面表示部４３の表示のオン・オフが設定される。
【００８３】
上記構成により、本例では、裏面の画像表示部１１の他に、更なる画像表示が可能になり、また、自分撮り時には画角の確認が確実にでき、更に、撮影タイミングが確認できるので、セルフタイマ撮影の失敗を防止することができる。
【００８４】
また、前面表示部４３の使用が不要のときは、カバー部４で保護しておくことできるので安心である。また、表示を切り替えるための前面表示部４３の近傍に前面表示切換ボタン４４があるので、間違えることなく表示切換操作を容易に行うことができる。
【００８５】
また、前面表示部４３の使用が不要のときは、ＯＦＦにしておくことにより省エネにも有効である。このように本例のデジタルカメラ１″においては、特定のカメラモードの設定が容易にできるので便利である。
【００８６】
尚、上記のカメラモードの設定は、カバー部の移動によって直接設定されるようにしてもよく、また、カバー部の移動と他のボタン動作とによって決定されるようにしてもよい。
【００８７】
また、上記いずれの実施の形態においても、携帯型撮像装置として、デジタルカメラを例にとって説明しているが、これに限ることなく、ビデオムービー、携帯電話、ＰＤＡ等に適用できることは言うまでもない。
【図面の簡単な説明】
【００８８】
【図１】第１の実施形態におけるデジタルカメラの外観図である。
【図２】第１の実施形態におけるデジタルカメラの撮影時（拡張突出時）の状態と携帯時（縮小時）の状態を示す図である。
【図３】第１の実施形態におけるジタルカメラの背面の外観構成を示す図である。
【図４】第１の実施形態におけるデジタルカメラの内部システムブロック図である。
【図５】第２の実施形態におけるデジタルカメラの撮影可能状態時の背面外観を示す図である。
【図６】第２の実施形態におけるデジタルカメラの内部システムブロック図である。
【図７】第３の実施形態におけるデジタルカメラの撮影可能状態時における正面外観図と前面表示部の表示態様を示す図である。
【図８】第３の実施形態におけるデジタルカメラの内部システムブロック図である。
【図９】第３の実施形態におけるデジタルカメラにおいてＣＰＵの制御の元に行われるカメラモードの設定処理のフローチャートである。
【符号の説明】
【００８９】
１、１´  デジタルカメラ
２      分割線
３      機器本体部
３−１  端部外表面
３−２  レンズ配置面
４      カバー部
４−１  空間部
５      レリースボタン
６      再生ボタン
７      把持部
８      ジョグダイヤル
９      吊り輪
１１    画像表示部（第１表示部）
１２    光学部
１３    撮影レンズ
１４    中間移動レンズ
１５    撮像素子
１６、１６´  背部保護面操作部
１７    傾斜付き段差
１８    ストロボ窓
１９    ズームボタン
２０    背面操作部
２１    ＸＹ操作ボタン
２２    選択ボタン
２５    ＣＰＵ(central processing unit）
２６    バス
２７    画像メモリ
２８    撮像部
２９    画像処理部
３１    フレキシブル基板
３２    背面操作部（Ｉ／Ｆ回路）
３３    上面等灯作部（Ｉ／Ｆ回路）
３４    ＲＯＭ（read-only-memory）
３５    ストロボ部
３６    カバー位置検出部
３７    第２表示部
３８    撮影情報
３８−１  シャッタースピード情報
３８−２  絞り情報
３８−３  画質情報
３８−４  ズーム情報
３８−５  露出情報
３９    第２表示切替ボタン
４１    第２表示部（駆動回路）
４２    第２表示切換操作部
４３    前面表示部
４４    前面表示切換ボタン
４５    前面表示部（駆動回路）
４６    前面表示切換操作部
【図１】
2006303983.tif 000003
【図２】
2006303983.tif 000004
【図３】
2006303983.tif 000005
【図４】
2006303983.tif 000006
【図５】
2006303983.tif 000007
【図６】
2006303983.tif 000008
【図７】
2006303983.tif 000009
【図８】
2006303983.tif 000010
【図９】
2006303983.tif 000011